(57)【要約】【課題】ＰＣやＬＡＮ等のネットワークを用いず、ＰＣレスプレゼンを実現する技術を提供する。【解決手段】（１）先生は、ＰＣでプレゼンファイルを作成する。（２）次に、プレゼンファイルをＵＳＢメモリ９５に保存し、プロジェクタ本体１０が天井に取りつけられている教室へ持って行く。（３）教室で、先生は、リモコン８０にＵＳＢメモリ９５を接続する。（４）プロジェクタ本体１０を起動させ、「転送」ボタンＢ３１を押下する。（５）「転送」ボタンＢ３１の押下によって、ＵＳＢメモリ９５のデータは、プロジェクタ本体１０に転送される。（６）データ転送完了後、先生はＵＳＢメモリ９５をリモコン８０から取り外し、「開始」ボタンＢ３２を押下して、プレゼンファイルの表示を開始する。（７）授業では、先生は、「戻り」ボタン等を操作する。（８）プロジェクタ１のオフ操作がなされると、プロジェクタ本体１０はデータ保存・破棄処理を行う。【選択図】図６
2012032581.tif 000002
【特許請求の範囲】
【請求項１】
プロジェクタ本体と、操作手段としてリモートコントローラとを備えたプロジェクタであって、
前記リモートコントローラは、
外部メモリを接続し、前記外部メモリとデータの入出力を行う外部メモリ入出力手段と、
前記外部メモリのデータを前記プロジェクタ本体へ送信する通信手段と、
を備え、
前記プロジェクタ本体は、前記リモートコントローラから送信された前記データを受信する通信手段と、
前記データを解析して映像として投影する投影手段と
を備える
ことを特徴とするプロジェクタ。
【請求項２】
前記プロジェクタ本体は、前記外部メモリから取得したデータを記録する記録手段と、
電源オフの操作に伴い前記データを破棄する記録処理手段を有する
ことを特徴とする請求項１に記載のプロジェクタ。
【請求項３】
前記電源オフ後に前記データを破棄するか、保持するかのいずれかを設定する設定処理手段を備えることを特徴とする請求項１または２に記載のプロジェクタ。
【請求項４】
前記設定処理手段は、前記プロジェクタ本体の設定情報を前記リモートコントローラに送信し、
前記外部メモリ入出力手段は、前記設定情報を前記外部メモリに記録する
ことを特徴とする請求項１から３までのいずれかに記載のプロジェクタ。
【請求項５】
前記リモートコントローラは、表示手段と、
前記外部メモリに記録されているデータを解析し前記表示手段に表示する表示処理手段と、
を備えることを特徴とする請求項１から４までのいずれかに記載のプロジェクタ。
【発明の詳細な説明】
【技術分野】
【０００１】
本発明は、プロジェクタに係り、特に、リモートコントローラ（以下、単に「リモコンともいう）によって操作可能なプロジェクタに関する。
【背景技術】
【０００２】
近年、パーソナルコンピュータ（以下、「ＰＣ」という）がない状態でのプレゼンテーション（以下、「ＰＣレスプレゼン」という）として、プロジェクタ本体にＵＳＢ（Universal Serial Bus）端子を備え、ＵＳＢメモリに内蔵された画像ファイルを表示することができるシステムがある。しかしながら、プロジェクタは天井に固定設置されることが多く、そのような場合、プロジェクタ本体に備え付けられたＵＳＢ端子を使用することが出来なくなり、ＰＣレスプレゼンが実現できなくなってしまう。
【０００３】
そこで、ＬＡＮ（Local Area Network）等のネットワークを利用してプレゼンテーションファイルをプロジェクタに送信することで、ＰＣレスプレゼンを実現する技術が提案されている（特許文献１参照）。
【先行技術文献】
【特許文献】
【０００４】
【特許文献１】特開２００１−３４３７７号公報
【発明の概要】
【発明が解決しようとする課題】
【０００５】
ところで、特許文献１に開示の技術では、結局ファイルを転送するのにＰＣが必要となる。また、新興国などではネットワークの普及が完全でないことが多い。さらにそもそもネットワークを利用してプロジェクタにファイルを送信することが、ユーザのスキル等によっては困難であることが多いという課題がある。また、新興国に限らず、コストや設備管理の観点から、ネットワークが導入できない場合もある。
【０００６】
本発明の目的は、上記課題に鑑み、ＰＣやＬＡＮ等のネットワークを用いることなく、ＰＣレスプレゼンを実現する技術を提供することにある。
【課題を解決するための手段】
【０００７】
本発明に係る装置は、プロジェクタに関する。この装置は、プロジェクタ本体と、操作手段としてリモートコントローラとを備えたプロジェクタであって、前記リモートコントローラは、外部メモリを接続し、前記外部メモリとデータの入出力を行う外部メモリ入出力手段と、前記外部メモリのデータを前記プロジェクタ本体へ送信する通信手段と、を備え、前記プロジェクタ本体は、前記リモートコントローラから送信された前記データを受信する通信手段と、前記データを解析して映像として投影する投影手段とを備える。
また、前記プロジェクタ本体は、前記外部メモリから取得したデータを記録する記録手段と、電源オフの操作に伴い前記データを破棄する記録処理手段を有してもよい。
また、前記電源オフ後に前記データを破棄するか、保持するかのいずれかを設定する設定処理手段を備えてもよい。
また、前記設定処理手段は、前記プロジェクタ本体の設定情報を前記リモートコントローラに送信し、前記外部メモリ入出力手段は、前記設定情報を前記外部メモリに記録してもよい。
また、前記リモートコントローラは、表示手段と、前記外部メモリに記録されているデータを解析し前記表示手段に表示する表示処理手段と、を備えてもよい。
【発明の効果】
【０００８】
本発明によれば、ＰＣやＬＡＮ等のネットワークを用いることなく、ＰＣレスプレゼンを実現する技術を提供することができる。
【図面の簡単な説明】
【０００９】
【図１】本発明の実施形態に係る、プロジェクタを模式的に示した機能ブロック図である。
【図２】本発明の実施形態に係る、ファイル保存に関する設定を行うメニュー画面の例を示した図である。
【図３】本発明の実施形態に係る、リモコンの操作例を模式的に示した図である。
【図４】本発明の実施形態に係る、リモコンからファイルを転送している間に表示される画面例を示した図である。
【図５】本発明の実施形態に係る、ファイル保存用記憶部に保存されたデータの再生をする際の画面例を模式的に示した図である。
【図６】本発明の実施形態に係る、学校でユーザである先生がプロジェクタを使用するときの流れを示した図である。
【図７】本発明の実施形態の変形例に係る、リモコンの外観を示した図である。
【発明を実施するための形態】
【００１０】
次に、本発明を実施するための形態を、図面を参照して具体的に説明する。本実施形態の概要は次の通りである。本実施形態のプロジェクタは、リモコンによって操作可能となっている。
（１）このリモコンは、ＵＳＢ端子と無線通信手段を備え、ＰＣを使用せずに、リモコン経由でプレゼンテーションファイル等の転送が可能となっている。
（２）プロジェクタ内部にプレゼンテーションファイルを保存するためのハードディスク、あるいはフラッシュメモリの等の記憶媒体を備え、その記憶媒体に転送されたファイルが保存可能となっている。
（３）機密保持等の観点から、転送されたファイルは一時的に揮発性メモリに保存され、プロジェクタの電源オフ時に転送されたプレゼンテーションファイルを削除するか、不揮発性メモリに保存するかをメニュー等から選択可能となっている。
（４）リモコン上に転送用及びプレゼン開始用の専用のキーを備え、転送が終了した後、プレゼン開始キーが点灯することで、転送の成功確認および、プレゼンテーションの即時開始ができる。
（５）ファイルを転送中はプロジェクタがＯＳＤを使って表示する。
（６）不揮発性メモリに保存されたプレゼンテーションファイルは、プロジェクタのメニュー等から何度でも表示可能となっている。
以下、具体的に説明する。
【００１１】
図１は、本実施形態に係るプロジェクタ１を模式的に示した機能ブロック図である。プロジェクタ１は、プロジェクタ本体１０と操作手段であるリモコン８０とを備えて構成されている。
【００１２】
プロジェクタ本体１０は、制御部２０と、表示手段４０と、データ記憶部６０と、無線通信処理部７０と、アンテナ７２と、リモコン受光部７６とを備える。
【００１３】
制御部２０は、映像処理部２１と、映像合成部２２と、ＯＳＤ表示部２３と、ファイル処理部２４と、ファイル解析部２５と、ユーザ入力処理部２６と、設定処理部２７と、データ入力処理部２８とを備える。
【００１４】
データ入力処理部２８は、ＲＧＢ端子やＨＤＭＩ端子、ＤＶＩ端子等を備え、それら端子に対応した規格の信号を取得し、映像処理部２１に出力される。
【００１５】
設定処理部２７は、各種設定処理を行い保存する。さらに、設定処理部２７は、他のプロジェクタに設定内容（設定情報）をコピーできるように、無線通信処理部７０を介してリモコン８０に設定情報を送信できる。
【００１６】
ユーザ入力処理部２６は、所定の操作パネルに対するユーザ操作やリモコン８０を用いたユーザ操作を取得する。
【００１７】
ファイル解析部２５は、無線通信処理部７０を介してリモコン８０から取得した画像データを解析する。具体的には、リモコン８０から取得したデータが、どの様な規格の画像データであるかやプレゼンテーションファイルであるか等を解析する。なお、以下では、リモコン８０から取得するデータを、特に断りが無い限り便宜的にプレゼンテーションファイルを含めて、「画像データ」と言う。
【００１８】
ファイル処理部２４は、ファイル解析部２５の解析結果に応じてリモコン８０から取得した画像データを、表示すべき映像データに変換し、映像合成部２２に出力する。
【００１９】
映像処理部２１は、データ入力処理部２８が取得した信号から表示すべき映像データを生成し、映像合成部２２に出力する。ＯＳＤ表示部２３は、例えば図２に示すようなメニュー画面等をＯＳＤ表示するためのＯＳＤ画像を生成する。映像合成部２２は、映像処理部２１又はファイル処理部２４で生成された映像データと、ＯＳＤ表示部２３で生成されたＯＳＤ画像とを合成し、表示手段４０に出力する。なお、ＯＳＤ画像の合成が不要な場合は、映像処理部２１で生成された映像データをそのまま表示手段４０に出力する。
【００２０】
表示手段４０は、一般的な構成として、超高圧水銀ランプ等の光源４２と、集光光学系レンズ群と投稿光学系レンズ群とから構成されるレンズ４４と、ＬＣＤパネル等の変調素子である映像信号変調手段４６とを備える。光源４２から出射した光は、集光光学系レンズ群に入射し、集光光学系レンズ群を通過した光は、ＬＣＤパネルに照射され、さらにＬＣＤパネル８０で光変調されて、投光光学系レンズ群によってスクリーンに投光される。
【００２１】
データ記憶部６０は、一時記憶部６２と、ファイル保存用記憶部６４とを備える。一時記憶部６２は、揮発性メモリである。リモコン８０から転送された画像データが一時的にこの一時記憶部６２に保存される。
【００２２】
ファイル保存用記憶部６４は、不揮発性メモリであって、プロジェクタ本体１０の電源がオフされたときに、一時記憶部６２に一時的に記録され使用された画像データを保存する。なお、ファイル保存用記憶部６４への画像データの保存は、機密保持等の観点から、デフォルトでは保存されない設定になっており、ユーザが所定の設定画面で設定を行うことで保存処理がなされる。例えば、授業などで、複数回に渡って同じファイルを使用したいときなどには、保存するようにすると便利になる。機密資料などは、電源オフするタイミングで消去できるようにファイル保存用不揮発性メモリに保存しないようにする。この切り替えはメニュー画面で切り替えることができる構成であってもよいし、また、電源オフの処理に際に、ユーザから指定を受けてもよい。
【００２３】
図２は、ファイル保存に関する設定を行うメニュー画面の例を示している。当該設定画面の下側の領域に、「外部データ」の項目が設けられている。「外部データ」では、「保存データを再生する」項目と、「終了時データを保存する」項目が設けられている。ここでは、「終了時データを保存する」項目の設定中であり、「保存する」の設定がなされて、その旨が反転表示によって明示されている。
【００２４】
無線通信処理部７０は、アンテナ７２を介して、リモコン８０と、ＵＷＢ（Ultra Wide Band）規格による無線通信を行う。なお、無線通信の規格は、特にＵＷＢ規格に限らず広く一般的な規格のものを使用することができる。
【００２５】
リモコン受光部７６は、リモコン８０から出力されるリモコン操作信号を取得して、制御部２０に通知する。リモコン操作信号として、例えば、赤外線による信号が用いられる。
【００２６】
リモコン８０は、一般的な機能として、リモコンキー処理部８１及びリモコン送信部８２を備える。さらに、リモコン８０は、本実施形態に特徴的な構成として、データ処理部８７、ＵＳＢ通信処理部８８及びＵＳＢ端子９０、無線通信処理部８３及びアンテナ８４とを備える。なお、プロジェクタ１０との通信が、赤外線通信でなく無線通信である場合には、リモコン送信部８２は不要である。
【００２７】
図３は、リモコン８０の操作の概念図を模式的に示した図である。ユーザは、ＰＣで作成した画像データをＵＳＢメモリ９５に入れ、リモコンのＵＳＢ端子９０に接続する。リモコン８０のデータ処理部８７は、ＵＳＢ通信処理部８８を通じ、ＵＳＢメモリ９５の内部に保存された画像データを取得する。リモコン８０上の「転送」キーＢ３１の押下を検出したリモコンキー処理部８１が、無線通信処理部８３を通して、その画像データをプロジェクタ本体１０へ転送する。さらに、プロジェクタ本体１０から、設定情報が送信された場合、ＵＳＢ通信処理部８８を通じてＵＳＢメモリ９５に記録する。
【００２８】
また、プレゼンテーションファイルのように複数ページにわたるデータの場合、図３に示すように、リモコン８０のキー操作を行うことでユーザ入力処理部２６にてどのキー（ボタン）が押されたかを監視し、「戻り」ボタンＢ２１や「送り」ボタンＢ２２が押された場合、ファイル解析部２５で解析する画像データを一つ進めたり、一つ戻したりすることができる。
【００２９】
リモコン８０からファイルを転送している間は、図４に示すように、ＯＳＤ表示部２３にて「転送中・・・」等の表示処理を行い、電源をオフしないように促す。転送中であることと、転送が完了したことをリモコン上でも確認できるように、転送中はリモコン８０の「転送」ボタンＢ３１が赤点滅し、転送が終了すると「開始」ボタンＢ３２が緑点灯する。このような構成及び処理をなすことで、ユーザにとって視覚的に分かり易い表示を行うことができる。「転送」ボタンＢ３１や「開始」ボタンＢ３２の点灯処理等は、リモコンキー処理部８１が、各ボタンに関連づけられたＬＥＤライト（図示せず）の駆動制御を行うことでなされる。
【００３０】
不揮発性メモリであるファイル保存用記憶部６４に保存された画像データについては、ユーザはメニュー画面などから任意に呼び出すことができる。複数の画像データを保存しておくことも可能である。
【００３１】
図５に、ファイル保存用記憶部６４に保存された画像データの再生をする際の画面例を模式的に示す。図２で示したものと同様のメニュー画面において、「外部データ」の項目の「保存データを再生する」が選択されると、その右側に再生可能なファイル名が表示される。そして、ユーザは、リモコン８０を操作して、所望のファイル（画像データ）を選択する。ここでは、「プレゼン２」のファイル（画像データ）が選択され、その旨が反転表示で示されている。
【００３２】
上記実施形態により、ユーザはＰＣを持たず、専用のネットワーク回線も不要で、天吊されたプロジェクタ１を使ってプレゼンテーションを行うことができる。
【００３３】
以上の構成のプロジェクタ１に関する使用例として、学校でユーザである先生が使用するときの流れについて、図６（１）〜（８）を参照して説明する。ここでは、プロジェクタ本体１０が教室の天井に配置されているものとする。
【００３４】
（１）まず、先生は、職員室等に置かれているＰＣで、授業で用いるプレゼンテーション用の画像データ（プレゼンテーションファイル）を作成する。
（２）つぎに、先生は作成したプレゼンテーションファイルをＵＳＢメモリ９５に保存し、プロジェクタ本体１０が天井に取りつけられている教室へ持って行く。
（３）教室では、先生は、リモコン８０のＵＳＢ端子９０にＵＳＢメモリ９５を接続する。
（４）つづいて、先生は、プロジェクタ本体１０を起動させ、さらに、リモコン８０の「転送」ボタンＢ３１を押下する。
（５）「転送」ボタンＢ３１の押下によって、ＵＳＢメモリ９５の画像データは、ＵＳＢ通信処理部８８、無線通信処理部８３及びアンテナ８４を介して、プロジェクタ本体１０に転送される。
（６）データ転送完了後、先生はＵＳＢメモリ９５をリモコン８０から取り外し、「開始」ボタンＢ３２を押下して、プレゼンテーションファイルの表示を開始し、授業を行う。
（７）授業が開始すると、先生は、リモコン８０の「戻り」ボタンＢ２１や「送り」ボタンＢ２２を操作して、プレゼンテーションファイルを使用した授業を進める。
（８）授業終了後、プロジェクタ１をオフする動作がなされると、プロジェクタ本体１０はデータ保存・破棄処理を行う。具体的には、メニュー画面において、「終了時データを保存する」が選択されている場合、一時記憶部６２に一時的に記録されていた画像データがファイル保存用記憶部６４に記録される。「保存しない」が選択されている場合、一時記憶部６２に一時的に記録されていた画像データは、ファイル保存用記憶部６４に記録されることなく、破棄される。
【００３５】
以上、本発明を実施形態をもとに説明した。この実施形態は例示であり、それらの各構成要素や各処理プロセスの組み合わせにいろいろな変形例が可能なこと、またそうした変形例も本発明の範囲にあることは当業者に理解されるところである。例えば、リモコン８０に接続される外部メモリとしてＵＳＢメモリ９５を例示したが、ＳＤメモリカード等のメモリであってもよい。
【００３６】
図７は、変形例に係るリモコン１８０を示した図である。図示のように、リモコン１８０は、表示部Ｄ１０を備える。表示部Ｄ１０は、一般的なＬＣＤパネル及び画像処理手段を備えて構成される。画像処理手段は、プロジェクタ本体１０のファイル処理部２４やファイル解析部２５と同様の機能を有している。そして、表示部Ｄ１０によって、ＵＳＢメモリ９５に保存されている画像データ等が表示可能となっている。また、プレゼンテーションファイルに対応したビューアを備える場合は、プレゼンテーションファイルの表示も可能である。このような構成のリモコン１８０を用いることで、ユーザは、表示部Ｄ１０の表示を確認して、プロジェクタ本体１０に送信する画像データを選択することができる。
【００３７】
また、表示部Ｄ１０は、選択画像表示部Ｄ１１と、前画像表示部Ｄ１２と次画像表示部Ｄ１３の各表示領域を備えている。選択画像表示部Ｄ１１と、前画像表示部Ｄ１２と次画像表示部Ｄ１３では、図３で示したように、現在の画像（ファイル）が選択画像表示部Ｄ１１に表示され、一つ前の画像（ファイル）が前画像表示部Ｄ１２に表示され、さらに、次の画像（ファイル）が次画像表示部Ｄ１３に表示される。このような表示をすることで、リモコン８０を操作するユーザは、手元でスクリーン等に表示すべき画像の確認を容易にすることができる。
【符号の説明】
【００３８】
１  プロジェクタ
１０  プロジェクタ本体
２０  制御部
２１  映像処理部
２２  映像合成部
２３  ＯＳＤ表示部
２４  ファイル処理部
２５  ファイル解析部
２６  ユーザ入力処理部
２７  設定処理部
２８  データ入力処理部
６０  データ記憶部
６２  一時記憶部
６４  ファイル保存用記憶部
７０  無線通信処理部
８０  リモコン
８１  リモコンキー処理部
８３  無線通信処理部
８７  データ処理部
８８  ＵＳＢ通信処理部
９０  ＵＳＢ端子
９５  ＵＳＢメモリ
Ｂ３１  「転送」ボタン
Ｂ３２  「開始」ボタン
【図１】
2012032581.tif 000003
【図２】
2012032581.tif 000004
【図３】
2012032581.tif 000005
【図４】
2012032581.tif 000006
【図５】
2012032581.tif 000007
【図６】
2012032581.tif 000008
【図７】
2012032581.tif 000009